(57)【要約】【課題】浴槽への湯はりが行われる前に自動で閉じられる排水栓が凍結によって動作しなくなることを防止できる給湯システムを提供する。【解決手段】給湯システムは、浴槽５０へ湯を供給可能であり、浴槽への湯はりを行う機能を有する貯湯式給湯機１と、浴槽５０に設けられた排水栓５２および排水栓５２を開閉させる駆動装置５４を有する自動排水栓と、駆動装置５４に排水栓５２を閉じさせる閉じ制御および貯湯式給湯機１に浴槽５０へ予め設定された量の湯を供給させる湯供給制御を実行可能な制御装置６０と、を備える。制御装置６０は、貯湯式給湯機１が浴槽５０への湯はりを行う前に閉じ制御を実行し、閉じ制御を実行した後に排水栓５２が開いている場合には湯供給制御を実行する。【選択図】図１
2018169065.tif 000002
【特許請求の範囲】
【請求項１】
浴槽へ湯を供給可能であり、前記浴槽への湯はりを行う機能を有する給湯機と、
前記浴槽に設けられた排水栓および当該排水栓を開閉させる駆動手段を有する自動排水栓と、
前記駆動手段に前記排水栓を閉じさせる第１制御および前記給湯機に前記浴槽へ予め設定された量の湯を供給させる第２制御を実行可能な制御手段と、
を備え、
前記制御手段は、前記給湯機が前記浴槽への湯はりを行う前に前記第１制御を実行し、前記第１制御を実行した後に前記排水栓が開いている場合には前記第２制御を実行する給湯システム。
【請求項２】
前記第２制御が実行された際に前記給湯機が前記浴槽へ供給する湯の温度は、前記給湯機が湯はりを行う際に前記浴槽へ供給される湯の温度よりも高い請求項１に記載の給湯システム。
【請求項３】
前記制御手段は、前記第２制御を実行した後に前記第１制御を再び実行する請求項１または請求項２に記載の給湯システム。
【請求項４】
前記制御手段は、前記第１制御を再び実行した後に前記排水栓が開いている場合には前記第２制御を再び実行し、
前記第２制御が繰り返し実行された場合、２回目以降の前記第２制御が実行された際に前記給湯機が前記浴槽へ供給する湯の温度は、前回の前記第２制御が実行された際に前記給湯機が前記浴槽へ供給する湯の温度以上である請求項３に記載の給湯システム。
【請求項５】
前記制御手段は、前記第１制御を予め設定された回数実行した後に前記排水栓が開いている場合には、前記自動排水栓が異常であることを報知手段に報知させる請求項３または請求項４に記載の給湯システム。
【請求項６】
外気の温度を検出する外気温度検出手段を備え、
前記制御手段は、前記外気温度検出手段によって検出された温度が予め設定された基準値以下である場合に前記第１制御を実行する請求項１から請求項５の何れか１項に記載の給湯システム。
【請求項７】
外気の温度を検出する外気温度検出手段を備え、
前記制御手段は、前記外気温度検出手段によって検出された温度が予め設定された基準値以下である場合に前記第２制御を実行する請求項１から請求項５の何れか１項に記載の給湯システム。
【請求項８】
前記排水栓または前記排水栓から一定距離だけ離れた場所の温度を検出する温度検出手段を備え、
前記制御手段は、前記温度検出手段によって検出された温度が予め設定された基準値以下である場合に前記第１制御を実行する請求項１から請求項７の何れか１項に記載の給湯システム。
【請求項９】
前記排水栓または前記排水栓から一定距離だけ離れた場所の温度を検出する温度検出手段を備え、
前記制御手段は、前記温度検出手段によって検出された温度が予め設定された基準値以下である場合に前記第２制御を実行する請求項１から請求項７の何れか１項に記載の給湯システム。
【請求項１０】
前記第１制御が実行された後の前記第２制御の実行が許可される許可状態と前記第１制御が実行された後の前記第２制御の実行が禁止される禁止状態とを選択する選択手段を備える請求項１から請求項９の何れか１項に記載の給湯システム。
【請求項１１】
前記制御手段は、前記第２制御を実行する際に、前記給湯機から前記浴槽へ湯が供給されることを報知手段に報知させる請求項１から請求項１０の何れか１項に記載の給湯システム。
【発明の詳細な説明】
【技術分野】
【０００１】
本発明は、給湯システムに関するものである。
【背景技術】
【０００２】
特許文献１に、給湯装置が記載されている。特許文献１記載の給湯装置は、自動で開閉する排水栓を備えるものである。この排水栓は、浴槽への湯はりが行われる前に自動で閉じられる。
【先行技術文献】
【特許文献】
【０００３】
【特許文献１】特開２０１４−１５２９８０号公報
【発明の概要】
【発明が解決しようとする課題】
【０００４】
自動で開閉可能な排水栓は、例えば冬季等の低温環境下において凍結してしまう場合がある。凍結してしまった排水栓は、正しく動作することができない。例えば、上記の特許文献１においては、浴槽への湯はりが行われる前において、排水栓が凍結によって閉じられない可能性がある。
【０００５】
本発明は、上記のような課題を解決するためになされたものである。本発明の目的は、浴槽への湯はりが行われる前に自動で閉じられる排水栓が凍結によって動作しなくなることを防止できる給湯システムを提供することである。
【課題を解決するための手段】
【０００６】
本発明に係る給湯システムは、浴槽へ湯を供給可能であり、浴槽への湯はりを行う機能を有する給湯機と、浴槽に設けられた排水栓および当該排水栓を開閉させる駆動手段を有する自動排水栓と、駆動手段に排水栓を閉じさせる第１制御および給湯機に浴槽へ予め設定された量の湯を供給させる第２制御を実行可能な制御手段と、を備える。制御手段は、給湯機が浴槽への湯はりを行う前に第１制御を実行し、第１制御を実行した後に排水栓が開いている場合には第２制御を実行する。
【発明の効果】
【０００７】
本発明に係る給湯システムは、浴槽への湯はりが行われる前に自動で閉じられる排水栓が凍結によって動作しなくなることを防止できる。
【図面の簡単な説明】
【０００８】
【図１】実施の形態１の給湯システムの全体構成図である。
【図２】実施の形態１の制御装置の機能を示すブロック図である。
【図３】実施の形態１の制御装置の構成の一例を示す図である。
【図４】実施の形態１の給湯運転を示す図である。
【図５】実施の形態１の湯はり運転を示す図である。
【図６】実施の形態１の凍結防止運転の制御を示すフローチャートである。
【図７】実施の形態１の凍結防止運転の制御を示すフローチャートである。
【図８】実施の形態１のリモートコントローラによる報知の例を示す図である。
【図９】実施の形態１の変形例の凍結予防運転の制御を示すフローチャートである。
【発明を実施するための形態】
【０００９】
以下、図面を参照して、実施の形態について説明する。各図における同一の符号は、同一の部分または相当する部分を示す。本開示では、重複する説明について、適宜に簡略化または省略する。なお、本発明は、以下の実施の形態で説明する構成のうち、組み合わせ可能な構成のあらゆる組み合わせを含み得るものである。
【００１０】
実施の形態１．
図１は、実施の形態１の給湯システムの全体構成図である。本実施の形態の給湯システムは、貯湯式給湯機１を備える。なお、本実施の形態の給湯システムは、貯湯式給湯機１の代わりに、例えば、即湯式の給湯機を備えていてもよい。以下、本実施の形態では、一例として、貯湯式給湯機１を備える給湯システムについて説明する。
【００１１】
図１に示すように、貯湯式給湯機１は、ヒートポンプユニット２およびタンクユニット１０を有する。ヒートポンプユニット２とタンクユニット１０とは、配管および図示しない電気配線によって接続されている。
【００１２】
ヒートポンプユニット２は、水を加熱する装置である。タンクユニット１０は、内部に水を貯留する貯湯タンク１１を備える装置である。本実施の形態におけるヒートポンプユニット２は、貯湯タンク１１から導かれた低温の水を加熱するための加熱手段の一例である。
【００１３】
ヒートポンプユニット２は、圧縮機３、水冷媒熱交換器４、膨張弁５および空気熱交換器６を備える。圧縮機３、水冷媒熱交換器４、膨張弁５および空気熱交換器６は、冷媒配管７によって、順に環状に接続され、ヒートポンプサイクルを構成する。ヒートポンプユニット２は、このヒートポンプサイクルを利用して、水を加熱する。
【００１４】
水冷媒熱交換器４は、一次側を流れる冷媒と二次側を流れる水との間での熱交換を行うための装置である。水冷媒熱交換器４の一次側には、圧縮機３によって圧縮された高温の冷媒が冷媒配管７を介して導かれる。また、二次側には、貯湯タンク１１から低温の水が導かれる。水冷媒熱交換器４の二次側に導かれた低温の水は、一次側を流れる高温の冷媒によって加熱される。ヒートポンプユニット２は、このようにして、タンクユニット１０の貯湯タンク１１から導かれた低温の水を加熱する。
【００１５】
貯湯タンク１１の下部には、水導入口１１ａおよび水導出口１１ｂが設けられる。また、貯湯タンク１１の中央部から下部までの間には、温水導入口１１ｃが設けられる。貯湯タンク１１の上部には、温水導入出口１１ｄが設けられる。
【００１６】
タンクユニット１０は、減圧弁１２を備える。減圧弁１２は、配管を流れる水の圧力を調整するためのものである。減圧弁１２には、第１給水配管１３ａの一端が接続される。第１給水配管１３ａの他端は、貯湯タンク１１の水導入口１１ａに接続される。また、減圧弁１２には、第２給水配管１３ｂの一端が接続される。第２給水配管１３ｂの他端は、貯湯式給湯機１の外部の水源に接続される。水源は、例えば、水道等である。
【００１７】
第２給水配管１３ｂには、水源から低温の水が供給される。水源から第２給水配管１３ｂへ供給された低温の水は、減圧弁１２によって所定の圧力に調圧される。減圧弁１２によって調圧された低温の水は、第１給水配管１３ａを流れ、水導入口１１ａから貯湯タンク１１内に流入する。このように、貯湯タンク１１内の下部には、減圧弁１２と第１給水配管１３ａと第２給水配管１３ｂとを介して、水源から低温の水が供給される。
【００１８】
貯湯タンク１１内の上部には、ヒートポンプユニット２によって加熱された高温の水が、温水導入出口１１ｄから流入する。貯湯タンク１１内には、温水導入出口１１ｄから高温の水が流入するとともに、水導入口１１ａから低温の水が流入する。このようにして、貯湯タンク１１内には、上部と下部とで温度差が生じるように水が貯留される。貯湯タンク１１内の上部には、例えば、８０℃の水が貯留される。貯湯タンク１１内の下部には、例えば、１０℃の水が貯留される。
【００１９】
貯湯タンク１１の表面には、複数の温度センサが、それぞれ異なる高さに取り付けられる。貯湯タンク１１の表面には、一例として第１貯湯温度センサ１４および第２貯湯温度センサ１５が取り付けられる。これに限らず、貯湯タンク１１の表面には、３つ以上の温度センサが取り付けられてもよい。第１貯湯温度センサ１４は、貯湯タンク１１の表面の上部に取り付けられる。第２貯湯温度センサ１５は、貯湯タンク１１の表面の下部に取り付けられる。これらの複数の温度センサは、貯湯タンク１１に貯留された水の情報を得るためのものである。貯湯タンク１１に貯留された水の情報には、当該水の量および温度分布等が含まれる。
【００２０】
また、タンクユニット１０は、風呂用熱交換器１６および風呂循環ポンプ１７を備える。風呂用熱交換器１６は、当該風呂用熱交換器１６の一次側を流れる高温の水によって、当該風呂用熱交換器１６の二次側を流れる加熱対象水を加熱するための熱交換器である。
【００２１】
風呂用熱交換器１６の一次側には、貯湯タンク１１またはヒートポンプユニット２から高温の水が供給される。風呂用熱交換器１６の二次側を流れる加熱対象水には、貯湯式給湯機１の外部の浴槽５０内の水および暖房用の水が含まれる。本実施の形態では、浴槽５０内の水が風呂用熱交換器１６の二次側に流れる場合の例について説明する。
【００２２】
風呂用熱交換器１６の二次側の流入口には、風呂戻り配管１８の一端が接続される。風呂戻り配管１８の他端は、浴槽アダプタ５１を介して、浴槽５０に接続される。浴槽アダプタ５１は、浴槽５０の壁面に取り付けられる。また、風呂用熱交換器１６の二次側の流出口には、風呂往き配管１９の一端が接続される。風呂往き配管１９の他端は、浴槽アダプタ５１を介して、浴槽５０に接続される。
【００２３】
風呂循環ポンプ１７は、浴槽５０内の水を、風呂戻り配管１８、風呂用熱交換器１６の二次側および風呂往き配管１９へ循環させるためのポンプである。風呂循環ポンプ１７は、風呂戻り配管１８に設けられる。風呂循環ポンプ１７が駆動することによって、浴槽５０、浴槽アダプタ５１、風呂戻り配管１８、風呂用熱交換器１６の二次側および風呂往き配管１９に水が循環する。このようにして、浴槽５０内の水が風呂用熱交換器１６の二次側に供給される。
【００２４】
風呂戻り配管１８には、風呂戻り温度センサ２０が設置される。風呂戻り温度センサ２０は、風呂循環ポンプ１７と浴槽５０との間に設けられる。風呂戻り温度センサ２０は、浴槽５０から風呂戻り配管１８へ流出した水の温度を検出する。また、風呂往き配管１９には、風呂往き温度センサ２１が設置される。風呂往き温度センサ２１は、風呂用熱交換器１６を通って熱交換された後の水の温度を検出する。
【００２５】
タンクユニット１０は、流路切替手段の一例として、三方弁２３および四方弁２４を備える。また、タンクユニット１０は、ポンプ２５、電磁弁２６、給湯用混合弁２７および風呂用混合弁２８を備える。
【００２６】
三方弁２３は、流入口であるａポートとｂポートとを有する。また、三方弁２３は、流出口であるｃポートを有する。四方弁２４は、流入口であるａポートとｂポートとを有する。また、四方弁２４は、流出口であるｃポートとｄポートとを有する。
【００２７】
ポンプ２５は、貯湯式給湯機１が備える各種の配管に水を流すための装置である。電磁弁２６は、当該電磁弁２６が設けられた配管内の流路を開放または閉塞する装置である。本実施の形態において電磁弁２６は、タンクユニット１０から浴槽５０への水の供給を制御するために設けられる。給湯用混合弁２７は、第１の流入口と第２の流入口と流出口とを有する。同様に、風呂用混合弁２８は、第１の流入口と第２の流入口と流出口とを有する。
【００２８】
三方弁２３のａポートには、水導出口配管２９の一端が接続される。水導出口配管２９の他端は、水導出口１１ｂに接続される。水導出口配管２９は、貯湯タンク１１内の下部に貯められた低温の水を水導出口１１ｂから三方弁２３へ導く配管である。三方弁２３のｂポートには、水導出配管３０の一端が接続される。水導出配管３０の他端は、風呂用熱交換器１６の一次側の流出口に接続される。水導出配管３０は、風呂用熱交換器１６の一次側から流出した水を三方弁２３へ導く配管である。
【００２９】
三方弁２３のｃポートには、ヒートポンプ往き配管３１の一端が接続される。ヒートポンプ往き配管３１の他端は、ヒートポンプユニット２の水冷媒熱交換器４の二次側の流入口に接続される。ヒートポンプ往き配管３１は、タンクユニット１０からヒートポンプユニット２へ水を導く配管である。ポンプ２５は、一例として、このヒートポンプ往き配管３１に設けられる。
【００３０】
水冷媒熱交換器４の二次側の流出口には、ヒートポンプ戻り配管３２の一端が接続される。ヒートポンプ戻り配管３２の他端は、四方弁２４のａポートに接続される。ヒートポンプ戻り配管３２は、ヒートポンプユニット２からタンクユニット１０へ水を導く配管である。ヒートポンプユニット２とタンクユニット１０とは、ヒートポンプ往き配管３１およびヒートポンプ戻り配管３２によって接続される。
【００３１】
また、四方弁２４のｂポートには、第１バイパス配管３３の一端が接続される。第１バイパス配管３３の他端は、水冷媒熱交換器４とポンプ２５との間で、ヒートポンプ往き配管３１に接続される。四方弁２４のｃポートには、第２バイパス配管３４の一端が接続される。第２バイパス配管３４の他端は、貯湯タンク１１に設けられた温水導入口１１ｃに接続される。
【００３２】
四方弁２４のｄポートには、送湯配管３５の一端が接続される。送湯配管３５は、ヒートポンプユニット２によって加熱された高温の水を、貯湯タンク１１および風呂用熱交換器１６の一次側へ送るための配管である。送湯配管３５の他端は、温水導入出口１１ｄに接続される。
【００３３】
また、送湯配管３５の途中には、水導入配管３６の一端が接続される。水導入配管３６の他端は、風呂用熱交換器１６の一次側の流入口に接続される。水導入配管３６は、風呂用熱交換器１６の一次側に高温の水を流入させるための配管である。ここで、送湯配管３５と水導入配管３６との接続部分を、図１に示すように、第１接続部３５ａとする。本実施の形態において送湯配管３５には、温水導入出口１１ｄに接続された送湯配管３５の他端と第１接続部３５ａとの間に、第２接続部３５ｂが形成される。
【００３４】
この第２接続部３５ｂには、第１給湯配管３７の一端が接続される。第１給湯配管３７は、ヒートポンプユニット２によって加熱された高温の水または貯湯タンク１１内に貯留された高温の水を貯湯式給湯機１の外部へ供給するための配管である。第１給湯配管３７の他端は、図１に示すように、２つに分岐する。２つに分岐した第１給湯配管３７の他端の一方は給湯用混合弁２７の第１の流入口に接続され、他方は風呂用混合弁２８の第１の流入口に接続される。
【００３５】
減圧弁１２には、第３給水配管１３ｃの一端が接続される。すなわち、減圧弁１２には、第１給水配管１３ａの一端、第２給水配管１３ｂの一端および第３給水配管１３ｃの一端が接続されている。
【００３６】
第３給水配管１３ｃの他端は、２つに分岐する。２つに分岐した第３給水配管１３ｃの他端の一方は給湯用混合弁２７の第２の流入口に接続され、他方は風呂用混合弁２８の第２の流入口に接続される。第３給水配管１３ｃは、水源から給湯用混合弁２７および風呂用混合弁２８へ低温の水を供給するための配管である。
【００３７】
本実施の形態において、減圧弁１２、第１給水配管１３ａ、第２給水配管１３ｂおよび第３給水配管１３ｃは、水源から貯湯式給湯機１へ低温の水を供給するための給水管路を構成している。
【００３８】
給湯用混合弁２７の流出口には、第２給湯配管３８の一端が接続される。第２給湯配管３８の他端は、給湯栓３９を介して、貯湯式給湯機１の外部の、蛇口４０に接続される。蛇口４０は、使用者によって使用される出湯端末の一例である。蛇口４０は、例えば、シャワーおよびカラン等に設けられる。
【００３９】
また、風呂用混合弁２８の流出口には、第３給湯配管４１の一端が接続される。第３給湯配管４１の他端は、例えば風呂用熱交換器１６と風呂往き温度センサ２１との間で、風呂往き配管１９の途中に接続される。電磁弁２６は、一例として、第３給湯配管４１に設けられる。電磁弁２６は、第３給湯配管４１内の流路を開放または閉塞する。
【００４０】
第３給湯配管４１には、電磁弁２６と風呂用混合弁２８との間で、流量センサ４２が設けられる。流量センサ４２は、第３給湯配管４１内の水の流量を検出する装置である。
【００４１】
図１に示すように、浴槽５０には、当該浴槽５０内の水の排水および止水を制御するための排水栓５２が設けられる。浴槽５０には、この排水栓５２を介して、排水管５３が接続される。排水栓５２が閉じられた状態で浴槽５０へ水が供給されることによって、当該浴槽５０に水が貯められる。浴槽５０内に水が貯められた状態で排水栓５２が開けられると、当該浴槽５０内に貯められた水が排水管５３へ排出される。
【００４２】
本実施の形態の給湯システムは、排水栓５２を開閉させる駆動手段の一例として、駆動装置５４を備える。駆動装置５４は、例えば、ワイヤ等を介して排水栓５２に接続される。駆動装置５４は、例えば、電動のモータである。本実施の形態の給湯システムは、自動排水栓の一例として、排水栓５２および駆動装置５４を備えている。なお、以下の説明では、排水栓５２と駆動装置５４とを含めて単に「自動排水栓」とも称する。
【００４３】
排水栓５２には、一例として、開閉検出装置５５が接続される。開閉検出装置５５は、排水栓５２の状態を検出する手段である。開閉検出装置５５は、排水栓５２の動作量または位置を計測する。開閉検出装置５５は、排水栓５２の動作量または位置に基づいて、排水栓５２が開いているか閉じているかを判定する。開閉検出装置５５は、判定手段の一例である。開閉検出装置５５は、排水栓５２の情報を含む信号を送信する機能を有する。開閉検出装置５５は、排水栓５２が開いている場合には開信号を送信する。また、開閉検出装置５５は、排水栓５２が閉じている場合には閉信号を送信する。
【００４４】
また、例えば排水栓５２には、温度センサ５６が取り付けられる。温度センサ５６は、排水栓５２の温度を検出する。なお、温度センサ５６は、排水栓５２の近傍に設けられてもよい。温度センサ５６は、排水栓５２から一定距離だけ離れた場所の温度を検出してもよい。温度センサ５６は、検出した温度の情報を含む信号を送信する機能を有する。本実施の形態における温度センサ５６は、排水栓５２の温度および当該排水栓５２から一定距離だけ離れた場所の温度の少なくとも一方を検出する温度検出手段の一例である。
【００４５】
また、本実施の形態の給湯システムは、貯湯式給湯機１と自動排水栓とを連動させる制御装置６０を備える。制御装置６０は、給湯システムを制御するための制御手段の一例である。制御装置６０は、例えば、貯湯式給湯機１のタンクユニット１０に内蔵される。なお、制御装置６０は、貯湯式給湯機１の外部に設けられてもよい。
【００４６】
制御装置６０は、貯湯式給湯機１を構成する各部品に電気的に接続される。また、制御装置６０は、自動排水栓および当該自動排水栓に接続された各部品に電気的に接続される。本実施の形態において制御装置６０は、通信線５７によって、駆動装置５４、開閉検出装置５５および温度センサ５６に電気的に接続される。制御装置６０は、駆動装置５４を制御する。また、制御装置６０は、開閉検出装置５５および温度センサ５６から受信した信号に基づいて動作する。
【００４７】
制御装置６０には、リモートコントローラ７０が、有線または無線によって電気的に接続される。制御装置６０とリモートコントローラ７０とは、例えば、リモートコントローラ通信線７１によって接続される。制御装置６０とリモートコントローラ７０とは、相互に通信することが可能である。
【００４８】
リモートコントローラ７０は、表示部７０ａおよび操作部７０ｂを有する。表示部７０ａは、貯湯式給湯機１の状態等の情報を表示する。表示部７０ａは、例えば、液晶によって形成される。操作部７０ｂは、使用者が貯湯式給湯機１を操作するためのスイッチ等である。また、リモートコントローラ７０には、スピーカ、ブザーおよびマイク等が設けられてもよい。
【００４９】
使用者は、操作部７０ｂによって、貯湯式給湯機１を操作することができる。リモートコントローラ７０は、使用者による操作部７０ｂの操作に応じた運転指示を、制御装置６０へ送信する。制御装置６０は、リモートコントローラ７０から受信した運転指示に基づいて、貯湯式給湯機１を構成する各部品を制御する。また、使用者は、操作部７０ｂを操作することによって、貯湯式給湯機１の設定値を変更することができる。貯湯式給湯機１の設定値には、当該貯湯式給湯機１が外部へ供給する水の温度等が含まれる。
【００５０】
図２は、実施の形態１の制御装置６０の機能を示すブロック図である。上述したように、制御装置６０は、駆動装置５４、開閉検出装置５５、温度センサ５６およびリモートコントローラ７０に電気的に接続される。また、制御装置６０には、外気温センサ８が電気的に接続されていてもよい。外気温センサ８は、外気の温度を検出する外気温度検出手段の一例である。外気温センサ８は、例えば、室外に設置されたヒートポンプユニット２に設けられる。一例として、制御装置６０は、外気温センサ８が検出した外気の温度に応じて動作する。
【００５１】
制御装置６０は、図２に示すように、風呂循環ポンプ１７、三方弁２３、四方弁２４およびポンプ２５に電気的に接続される。制御装置６０は、風呂循環ポンプ１７、三方弁２３、四方弁２４およびポンプ２５を制御する。
【００５２】
また、制御装置６０は、電磁弁２６、給湯用混合弁２７、風呂用混合弁２８およびヒートポンプユニット２に電気的に接続される。制御装置６０は、電磁弁２６、給湯用混合弁２７、風呂用混合弁２８およびヒートポンプユニット２を制御する。
【００５３】
制御装置６０は、貯湯式給湯機１に備えられた各種のセンサに電気的に接続される。本実施の形態において、制御装置６０は、第１貯湯温度センサ１４及び第２貯湯温度センサ１５に電気的に接続される。制御装置６０は、第１貯湯温度センサ１４および第２貯湯温度センサ１５によって検出された貯湯タンク１１内の温度分布に基づいて、当該貯湯タンク１１内の蓄熱量等を監視する。制御装置６０は、第１貯湯温度センサ１４および第２貯湯温度センサ１５によって得られた情報に基づいて、ヒートポンプユニット２による水の加熱の開始及び停止を制御する。
【００５４】
また、制御装置６０は、風呂戻り温度センサ２０、風呂往き温度センサ２１および流量センサ４２に電気的に接続される。制御装置６０は、風呂戻り温度センサ２０、風呂往き温度センサ２１および流量センサ４２のそれぞれから、検出結果の情報を含む信号を受信し、受信した信号に応じて動作する。
【００５５】
制御装置６０は、給湯温度センサ４３に電気的に接続されていてもよい。給湯温度センサ４３は、図１に示すように、第２給湯配管３８に設けられ、第２給湯配管３８を流れる水の温度を検出する。制御装置６０は、給湯温度センサ４３から受信した信号に応じて動作してもよい。
【００５６】
また、制御装置６０は、給湯水流センサ４４に電気的に接続されていてもよい。給湯水流センサ４４は、図１に示すように、第２給湯配管３８に設けられ、第２給湯配管３８内の水の流れの有無を検出する。制御装置６０は、給湯水流センサ４４から受信した信号に応じて動作してもよい。
【００５７】
制御装置６０は、例えば、図２に示すように、制御部６０ａおよび記憶部６０ｂを有する。記憶部６０ｂは、記憶手段の一例である。記憶部６０ｂには、本実施の形態の給湯システムを制御するための各種の設定値およびプログラム等が予め記憶されている。制御部６０ａは、この記憶部６０ｂに記憶された設定およびプログラム等に基づいて、給湯システムを構成する各種の機器を制御する。
【００５８】
図３は、実施の形態１の制御装置６０の構成の一例を示す図である。制御装置６０の各機能は、例えば、処理回路により実現される。処理回路は、専用ハードウェア２００であってもよい。処理回路は、プロセッサ２０１およびメモリ２０２を備えていてもよい。処理回路の一部が専用ハードウェア２００として形成され、且つ、当該処理回路は更にプロセッサ２０１およびメモリ２０２を備えていてもよい。図３に示す例において、処理回路の一部は専用ハードウェア２００として形成され、処理回路はプロセッサ２０１およびメモリ２０２を更に備えている。
【００５９】
次に、本実施の形態の給湯システムの動作について説明する。まず、貯湯式給湯機１による給湯運転について説明する。給湯運転とは、貯湯タンク１１内に貯留された水を使用して、設定温度の水を蛇口４０等の出湯端末へ供給する運転である。出湯端末へ供給される水の設定温度は、リモートコントローラ７０によって設定される。この設定温度を、以下では「給湯温度」とも称する。なお、リモートコントローラ７０によって設定された給湯温度は、例えば、制御装置６０の記憶部６０ｂに記憶される。
【００６０】
図４は、実施の形態１の給湯運転を示す図である。図４に示す給湯運転は、使用者が蛇口４０を開くことによって実行される。蛇口４０が開けられると、水源から低温の水が第２給水配管１３ｂへ流入する。第２給水配管１３ｂへ流入した低温の水は、減圧弁１２を通過する。減圧弁１２を通過した低温の水の一部は、第１給水配管１３ａを介し、水導入口１１ａから貯湯タンク１１内の下部へ供給される。また、減圧弁１２を通過した低温の水の一部は、第３給水配管１３ｃを介し、給湯用混合弁２７へ供給される。
【００６１】
貯湯タンク１１内の下部へ低温の水が供給されると、貯湯タンク１１内の上部に貯留された高温の水が、温水導入出口１１ｄから取り出される。温水導入出口１１ｄから取り出された高温の水は、第１給湯配管３７を介し、給湯用混合弁２７へ供給される。
【００６２】
給湯用混合弁２７では、当該給湯用混合弁２７に供給された高温の水と低温の水とが混合される。給湯用混合弁２７で混合された水は、第２給湯配管３８および給湯栓３９を介して蛇口４０へ供給される。給湯運転は、使用者が蛇口４０を閉じることによって終了する。
【００６３】
給湯運転において制御装置６０は、給湯温度センサ４３によって検出される温度がリモートコントローラ７０によって設定された給湯温度となるように、給湯用混合弁２７を制御する。これにより、給湯温度の水が蛇口４０へ供給される。
【００６４】
次に、貯湯式給湯機１による湯はり運転について説明する。湯はり運転とは、貯湯タンク１１内に貯留された水を使用して、浴槽５０への湯はりを行う運転である。湯はり運転は、リモートコントローラ７０によって設定された設定温度の水を浴槽５０へ供給する運転である。この設定温度を、以下では「湯はり温度」とも称する。リモートコントローラ７０によって設定された湯はり温度は、例えば、制御装置６０の記憶部６０ｂに記憶される。
【００６５】
なお、本開示では、貯湯式給湯機１が湯はり運転によって浴槽５０へ供給する水を、「湯」とも称する。貯湯式給湯機１は、浴槽５０への湯はりを行う機能を有する給湯機の一例である。
【００６６】
図５は、実施の形態１の湯はり運転を示す図である。湯はり運転は、一例として、リモートコントローラ７０の操作部７０ｂが操作されることによって開始する。貯湯式給湯機１に湯はり運転を行わせるために使用者が行う操作を、以下、「湯はり操作」とも称する。なお湯はり運転が開始する時点は、湯はり操作が行われた時点に限定されるものではない。
【００６７】
湯はり運転において制御装置６０は、電磁弁２６を開く。電磁弁２６が開くと、水源から低温の水が第２給水配管１３ｂへ流入する。第２給水配管１３ｂへ流入した低温の水は、減圧弁１２を通過する。減圧弁１２を通過した低温の水の一部は、第１給水配管１３ａを介して水導入口１１ａから貯湯タンク１１内の下部へ供給される。また、減圧弁１２を通過した低温の水の一部は、第３給水配管１３ｃを介し、風呂用混合弁２８へ供給される。
【００６８】
貯湯タンク１１内の下部へ低温の水が供給されると、貯湯タンク１１内の上部に貯留された高温の水が温水導入出口１１ｄから取り出される。温水導入出口１１ｄから取り出された高温の水は、第１給湯配管３７を介し、風呂用混合弁２８へ供給される。
【００６９】
風呂用混合弁２８では、供給された高温の水と低温の水とが混合される。風呂用混合弁２８で混合された水は、第３給湯配管４１、電磁弁２６、風呂戻り配管１８及び風呂往き配管１９を介して浴槽５０へ供給される。
【００７０】
湯はり運転において制御装置６０は、風呂戻り温度センサ２０及び風呂往き温度センサ２１によって検出される温度が湯はり温度となるように、風呂用混合弁２８を制御する。これにより、湯はり温度の湯が浴槽５０へ供給される。制御装置６０は、浴槽５０への湯はり量が設定量に達すると、電磁弁２６を閉じる。これにより湯はり運転が終了する。なお、湯はり量の設定量は、例えば、リモートコントローラ７０によって予め設定される。
【００７１】
次に、本実施の形態の給湯システムの特徴的な動作について説明する。本実施の形態の給湯システムは、貯湯式給湯機１による湯はり運転の前に自動排水栓を動作させるという特徴と、自動排水栓が凍結によって正しく動かないことを防止することができるという特徴と、を有している。この特徴的な動作を、「凍結防止運転」と称する。以下、フローチャートを参照し、凍結防止運転について説明する。
【００７２】
図６および図７は、実施の形態１の凍結防止運転の制御を示すフローチャートである。凍結防止運転の制御は、制御装置６０によって実行される。まず、制御装置６０の制御部６０ａは、使用者によって湯はり操作が行われたか判定する（ステップＳ１０１）。制御部６０ａは、リモートコントローラ７０から受信する信号に基づいて、ステップＳ１０１の処理を実行する。
【００７３】
使用者によって湯はり操作が行われていない場合、制御部６０ａは、外気温センサ８によって検出された温度が予め設定された基準値以下であるか判定する（ステップＳ１０２）。この基準値を、以下、「基準気温」と称する。基準気温は、自動排水栓が凍結する可能性がある温度として、予め設定される。基準気温は、例えば、５℃である。
【００７４】
基準気温の情報は、例えば、記憶部６０ｂに予め記憶される。制御部６０ａは、外気温センサ８から受信する信号と記憶部６０ｂに記憶された情報に基づいて、ステップＳ１０２の処理を実行する。
【００７５】
制御部６０ａは、外気温センサ８によって検出された温度が基準気温以下でないとステップＳ１０２で判定すると、温度センサ５６によって検出された温度が予め設定された基準値以下であるか判定する（ステップＳ１０３）。この基準値を、以下、「基準排水栓温度」と称する。基準排水栓温度は、自動排水栓が凍結する可能性がある温度として、予め設定される。基準排水栓温度は、例えば、５℃である。
【００７６】
温度センサ５６によって検出された温度が基準排水栓温度以下でないとステップＳ１０３で判定された場合には、凍結防止運転が終了する。なお、上記のステップＳ１０２およびステップＳ１０３の処理は、同時または逆順で実行されてもよい。
【００７７】
使用者によって湯はり操作が行われた場合、制御部６０ａは、閉じ制御を実行する（ステップＳ１０４）。この閉じ制御は、駆動装置５４に排水栓５２を閉じさせる制御である。閉じ制御は、制御手段によって実行される第１制御の一例である。制御部６０ａは、貯湯式給湯機１に湯はり運転を行わせる前に閉じ制御を実行する。また、制御部６０ａは、外気温センサ８によって検出された温度が基準気温以下と判定した場合および温度センサ５６によって検出された温度が基準排水栓温度以下であると判定した場合にも、閉じ制御を実行する。
【００７８】
制御部６０ａは、ステップＳ１０４で閉じ制御を実行すると、開閉検出装置５５から開信号を受信したか判定する（ステップＳ１０５）。上述したように、開閉検出装置５５は、排水栓５２が開いている場合には開信号を送信する。また、開閉検出装置５５は、排水栓５２が閉じている場合には閉信号を送信する。制御部６０ａは、ステップＳ１０５で開信号を受信した場合、すなわち排水栓５２が開いている場合には、リモートコントローラ７０に対して湯供給報知指示を実行する（ステップＳ１０６）。
【００７９】
この湯供給報知指示を受けたリモートコントローラ７０は、貯湯式給湯機１から浴槽へ湯が供給されることを報知する。図８は、実施の形態１のリモートコントローラ７０による報知の例を示す図である。一例として、リモートコントローラ７０の表示部７０ａには、「凍結防止運転が実行中であること」および「浴槽アダプタ５１から高温の湯が出ること」が表示される。なお、リモートコントローラ７０は、例えば、当該リモートコントローラ７０に設けられたスピーカまたはブザーから音を発することによる報知を行ってもよい。本実施の形態におけるリモートコントローラ７０は、使用者への報知を行う報知手段の一例である。
【００８０】
制御部６０ａは、ステップＳ１０６で湯供給報知指示を実行した後、湯供給制御を実行する（ステップＳ１０７）。この湯供給制御は、貯湯式給湯機１に浴槽５０へ予め設定された量の湯を供給させる制御である。本実施の形態における湯供給制御は、制御手段によって実行される第２制御の一例である。言い換えると、本実施の形態の制御装置６０は、第１制御および第２制御を実行可能な制御手段の一例である。
【００８１】
制御部６０ａによって湯供給制御が実行されることによって、貯湯式給湯機１は、予め設定された量の湯を浴槽へ供給する。予め設定されたこの量を、以下、「供給湯量」と称する。供給湯量は、例えば、記憶部６０ｂに予め設定される。例えば、風呂往き配管１９内に２［Ｌ］の水がある状態を想定した場合、供給湯量はこの２［Ｌ］より多い３［Ｌ］として設定される。これにより、確実に浴槽５０へ湯が供給される。
【００８２】
ここで、湯供給制御が実行された際に貯湯式給湯機１が浴槽５０へ供給する湯の温度を、「供給湯温」と称することとする。本実施の形態の制御部６０ａは、この供給湯温が湯はり温度よりも高くなるように、ステップＳ１０７の湯供給制御を実行する。一例として制御部６０ａは、供給湯温が湯はり温度より５℃高くなるように、湯供給制御を実行する。また、一例として制御部６０ａは、供給湯温が６０℃以下になるように、湯供給制御を実行する。ステップＳ１０７において浴槽へ供給された湯の供給湯温は、例えば、記憶部６０ｂに記憶される。
【００８３】
制御部６０ａは、ステップＳ１０７で湯供給制御を実行した後に、再び閉じ制御を実行する（ステップＳ１０８）。制御部６０ａは、ステップＳ１０７で閉じ制御を実行すると、ステップＳ１０５と同様に、開閉検出装置５５から開信号を受信したか判定する（ステップＳ１０９）。制御部６０ａは、ステップＳ１０９で開信号を受信した場合、すなわち排水栓５２が開いている場合には、再び湯供給制御を実行する（ステップＳ１１０）。
【００８４】
制御部６０ａは、ステップＳ１１０で湯供給制御を実行した後に、再び閉じ制御を実行する（ステップＳ１１１）。制御部６０ａは、ステップＳ１１１で閉じ制御を実行すると、開閉検出装置５５から開信号を受信したか判定する（ステップＳ１１２）。
【００８５】
制御部６０ａは、ステップＳ１１２で開信号を受信した場合、すなわち排水栓５２が開いている場合には、閉じ制御の実行回数が予め設定された回数に達したか判定する（ステップＳ１１３）。この回数を、以下、「設定回数」と称する。設定回数は、例えば、記憶部６０ｂに予め設定される。設定回数は、例えば、５回である。
【００８６】
制御部６０ａは、ステップＳ１１３で閉じ制御の実行回数が予め設定された回数未満であると判定すると、記憶部６０ｂに記憶された供給湯温の情報に基づき、直前の湯供給制御における供給湯温よりも高い温度を出湯温度として設定する（ステップＳ１１４）。制御部６０ａは、この出湯温度の湯が貯湯式給湯機１から浴槽５０へ供給されるように、再びステップＳ１１０で湯供給制御を実行する。すなわち、ステップＳ１１０の処理が繰り返し実行された場合に供給湯温は上昇する。一例として、２回目以降のステップＳ１１０における供給湯温は、前回のステップＳ１１０における供給湯温よりも５℃高くなる。
【００８７】
制御部６０ａは、ステップＳ１１３で閉じ制御の実行回数が予め設定された回数に達したと判定すると、リモートコントローラ７０に対して異常報知指示を実行する（ステップＳ１１５）。リモートコントローラ７０は、この異常報知指示を受けると、自動排水栓が異常であることを報知する。制御部６０ａは、ステップＳ１１５で異常報知指示を実行した後、実行中の各種の処理を終了する（ステップＳ１１６）。これにより、例えば、湯供給制御によって浴槽アダプタ５１から湯が出ている場合は、当該浴槽アダプタ５１からの湯が止まる。ステップＳ１１６が実行されることで、凍結防止運転が終了する。
【００８８】
また、制御部６０ａは、ステップＳ１０９で開信号を受信していない場合、すなわち排水栓５２が閉じている場合には、リモートコントローラ７０に対して報知停止指示を実行する（ステップＳ１１７）。リモートコントローラ７０は、この報知停止指示を受けると、ステップＳ１０６で湯供給報知指示を受けて行っていた報知を停止する。これにより、リモートコントローラ７０の表示部７０ａの状態が通常の状態に戻る。制御部６０ａは、ステップＳ１１７で報知停止指示を実行した後、ステップＳ１１６と同様に、実行中の各種の制御を終了する（ステップＳ１１８）。
【００８９】
制御部６０ａは、ステップＳ１１８の後、ステップＳ１０１において使用者によって湯はり操作が行われたか判定する。また、制御部６０ａは、ステップＳ１０５で開信号を受信しなかった場合にも、ステップＳ１０１において使用者によって湯はり操作が行われたか判定する（ステップＳ１１９）湯はり操作がなかった場合には、凍結防止運転が終了する。また、湯はり操作があった場合には、制御部６０ａ、貯湯式給湯機１に湯はり運転を開始させる（ステップＳ１２０）。湯はり運転が開始することによって、凍結防止運転が終了する。なお、凍結防止運転の制御は図６および図７に示すフローチャートに限定されるものではない。例えば、ステップＳ１０１からステップＳ１２０のうちの一部の処理は省略されてもよい。
【００９０】
上記の実施の形態の給湯システムは、第１制御の一例である閉じ制御および第２制御の一例である湯供給制御を実行可能な制御装置６０を備える。制御装置６０は、図６および図７に示すように、貯湯式給湯機１が湯はり運転を行う前に閉じ制御を実行する。また、制御装置６０は、閉じ制御を実行した後に排水栓５２が開いている場合には、湯供給制御を実行する。湯供給制御が実行されることによって、予め設定された量の湯が浴槽５０へ供給される。これにより、排水栓５２の温度が上昇し、凍結して動かなくなった排水栓５２が解凍される。上記の実施の形態によれば、浴槽５０への湯はりが行われる前に自動で閉じられる排水栓５２が凍結によって動作しなくなることを防止できる給湯システムが得られる。
【００９１】
なお、制御手段の一例である制御装置６０の動作は、例えば、複数の装置によって行われてもよい。また、タンクユニット１０に内蔵された制御装置６０と自動排水栓との間には、中継器が設けられもよい。上記の実施の形態における制御装置６０の動作の一部は、この中継器によって行われてもよい。
【００９２】
また、上記の実施の形態において開閉検出装置５５は、排水栓５２が開いているか閉じているかを判定し、判定結果を開信号または閉信号として送信する。開閉検出装置５５は、例えば、排水栓５２の動作量または位置の情報を含む信号を制御装置６０へ送信してもよい。制御装置６０は、例えば、図２に示すように、開閉検出装置５５から受信した情報に基づいて排水栓５２の状態を判定する判定部６０ｃを有してもよい。判定部６０ｃは、判定手段の一例である。このように、上記の実施の形態の給湯システムは、排水栓５２の状態を判定する任意の判定手段または排水栓５２の状態を検出する任意の検出手段を備えていればよい。
【００９３】
上記の実施の形態において、湯供給制御が実行された際に貯湯式給湯機１が浴槽５０へ供給する湯の温度は、貯湯式給湯機１が湯はり運転の際に浴槽５０へ供給される湯の温度よりも高い。これにより、凍結して動かなくなった排水栓５２がより確実に解凍される。また、上記の実施の形態において、制御装置６０は、閉じ制御と湯供給制御とを繰り返す。湯供給制御と閉じ制御とが繰り返されることで、凍結して動かなくなった排水栓５２がより確実に解凍される。
【００９４】
上記の実施の形態において、湯供給制御が繰り返し実行された場合、２回目以降の湯供給制御が実行された際に浴槽５０へ供給される湯の温度は、前回の湯供給制御が実行された際に浴槽５０へ供給される湯の温度以上である。湯供給制御によってより高温の湯が浴槽へ供給されることで、凍結して動かなくなった排水栓５２がより確実に解凍される。
【００９５】
なお、上記の実施の形態もおけるステップＳ１１０からステップＳ１１２は、省略されてもよい。すなわち、湯供給制御が繰り返された場合、２回目以降の湯供給制御が実行された際に浴槽５０へ供給される湯の温度は、前回の湯供給制御が実行された際に浴槽５０へ供給される湯の温度より高くてもよい。
【００９６】
また、上記の実施の形態において制御装置６０は、閉じ制御を予め設定された回数実行した後に排水栓５２が開いている場合には、自動排水栓が異常であることを報知手段の一例であるリモートコントローラ７０に報知させる。上記の実施の形態であれば、例えば給湯システムの使用者は、排水栓５２が動かない原因が凍結でないことを認識することができる。
【００９７】
また、上記の実施の形態では、ステップＳ１０２およびステップＳ１０４に示すように、外気温センサ８によって検出された温度が基準気温以下である場合に閉じ制御が実行される。上記の実施の形態であれば、外気の温度に応じて凍結防止運転が実行される。例えば、外気の温度が低い時には、湯はり操作が行われていなくも、排水栓５２が凍結によって動かなくなることが未然に防止される。また、外気の温度が高い時には、無駄に湯が消費されることがない。
【００９８】
上記の実施の形態では、ステップＳ１０３およびステップＳ１０４に示すように、温度センサ５６によって検出された温度が基準排水栓温度以下である場合に閉じ制御が実行される。上記の実施の形態であれば、排水栓５２または排水栓５２周辺の温度に応じて凍結防止運転が実行される。例えば、排水栓５２の温度が、当該排水栓５２が凍結している可能性が高い温度である時には、湯はり操作が行われていなくも凍結防止運転が実行される。また、排水栓５２の温度が高い時には、無駄に湯が消費されることがない。
【００９９】
上記の実施の形態において制御装置６０は、湯供給制御を実行する際に、貯湯式給湯機１から浴槽５０へ湯が供給されることをリモートコントローラ７０に報知させる。これにより、使用者が熱い湯に触れてしまうこと等が防止される。
【０１００】
また、制御装置６０の記憶部６０ｂには、例えば、複数の動作モードとして、凍結防止許可モードと凍結防止禁止モードとが予め設定されてもよい。上記の実施の形態の給湯システムは、凍結防止許可モードと凍結防止禁止モードとが使用者によって選択できるように構成されてもよい。リモートコントローラ７０は、この凍結防止許可モードと凍結防止禁止モードとを選択する選択手段として機能してもよい。
【０１０１】
凍結防止許可モードとは、閉じ制御が実行された後の湯供給制御の実行が許可される動作モードである。凍結防止許可モードが選択された場合、給湯システムは、許可状態となる。許可状態の給湯システムにおいては、上記の実施の形態のように、閉じ制御が実行された後に湯供給制御が実行される。凍結防止禁止モードとは、閉じ制御が実行された後の湯供給制御の実行が禁止される動作モードである。凍結防止禁止モードが選択された場合、給湯システムは、禁止状態となる。禁止状態の給湯システムにおいては、閉じ制御が実行された後に湯供給制御が実行されない。例えば、気温が高い場所で給湯システムを使用する使用者は、当該給湯システムを禁止状態にすることで、無駄な湯の消費を削減することができる。
【０１０２】
また、図９は、実施の形態１の変形例の凍結予防運転の制御を示すフローチャートである。凍結予防運転とは、排水栓５２が凍結によって動かなくなってしまうことを未然に防ぐための運転である。以下、フローチャートを参照し、この凍結予防運転について説明する。
【０１０３】
凍結予防運転において、制御装置６０の制御部６０ａは、温度センサ５６によって検出された温度が予め設定された基準値以下であるか判定する（ステップＳ２０１）。この基準値は、自動排水栓が凍結する可能性がある温度として、予め設定される。一例として、この基準値は、上記した基準排水栓温度と同じである。温度センサ５６によって検出された温度が基準排水栓温度以下でないとステップＳ２０１で判定された場合には、凍結予防運転が終了する。
【０１０４】
制御部６０ａは、温度センサ５６によって検出された温度が基準排水栓温度以下であるとステップＳ２０１で判定すると、リモートコントローラ７０に対して湯供給報知指示を実行する（ステップＳ２０２）。湯供給報知指示を受けたリモートコントローラ７０は、貯湯式給湯機１から浴槽へ湯が供給されることを報知する。
【０１０５】
制御部６０ａは、ステップＳ２０２で湯供給報知指示を実行した後、第２制御の一例である湯供給制御を実行する（ステップＳ２０３）。制御部６０ａによって湯供給制御が実行されることによって、貯湯式給湯機１は、予め設定された量の湯を浴槽へ供給する。
【０１０６】
制御部６０ａは、ステップＳ２０３で湯供給制御を実行すると、温度センサ５６によって検出された温度が予め設定された基準値である基準排水栓温度以上であるか判定する（ステップＳ２０４）。制御部６０ａは、温度センサ５６によって検出された温度が基準排水栓温度以上でないとステップＳ２０４で判定すると、ステップＳ２０２の処理を再び実行する。
【０１０７】
制御部６０ａは、温度センサ５６によって検出された温度が基準排水栓温度以上であるとステップＳ２０４で判定すると、湯供給制御を終了する（ステップＳ２０５）。これにより、浴槽への湯の供給が停止する。制御部６０ａは、ステップＳ２０５で湯供給制御を終了した後、リモートコントローラ７０に対して報知停止指示を実行する（ステップＳ２０６）。報知停止指示を受けたリモートコントローラ７０は、報知を停止する。ステップＳ２０６の処理が実行されると、凍結予防運転が終了する。
【０１０８】
上記した凍結予防運転において、制御装置６０は、温度センサ５６によって検出された温度が予め設定された基準値以下である場合に、第２制御の一例である湯供給制御を実行する。これにより、排水栓５２が凍結によって動かなくなってしまうことが未然に防止される。なお、上記した凍結予防運転のステップＳ２０１からステップＳ２０６までの処理は、例えば、凍結防止運転におけるステップ１０１とステップＳ１０４との間で実行されてもよい。凍結防止運転と凍結予防運転とが組み合わされることで、排水栓５２が凍結によって動かなくなってしまうことがより確実に防止される。また、上記のステップＳ２０１において制御部６０ａは、例えば、外気温センサ８によって検出された外気温が予め設定された基準値以下であるかを判定してもよい。凍結予防運転は、外気温に応じて実行されてもよい。
【符号の説明】
【０１０９】
１  貯湯式給湯機、  ２  ヒートポンプユニット、  ３  圧縮機、  ４  水冷媒熱交換器、  ５  膨張弁、  ６  空気熱交換器、  ７  冷媒配管、  ８  外気温センサ、  １０  タンクユニット、  １１  貯湯タンク、  １１ａ  水導入口、  １１ｂ  水導出口、  １１ｃ  温水導入口、  １１ｄ  温水導入出口、  １２  減圧弁、  １３ａ  第１給水配管、  １３ｂ  第２給水配管、  １３ｃ  第３給水配管、  １４  第１貯湯温度センサ、  １５  第２貯湯温度センサ、  １６  風呂用熱交換器、  １７  風呂循環ポンプ、  １８  風呂戻り配管、  １９  風呂往き配管、  ２０  風呂戻り温度センサ、  ２１  風呂往き温度センサ、  ２３  三方弁、  ２４  四方弁、  ２５  ポンプ、  ２６  電磁弁、  ２７  給湯用混合弁、  ２８  風呂用混合弁、  ２９  水導出口配管、  ３０  水導出配管、  ３１  ヒートポンプ往き配管、  ３２  ヒートポンプ戻り配管、  ３３  第１バイパス配管、  ３４  第２バイパス配管、  ３５  送湯配管、  ３５ａ  第１接続部、  ３５ｂ  第２接続部、  ３６  水導入配管、  ３７  第１給湯配管、  ３８  第２給湯配管、  ３９  給湯栓、  ４０  蛇口、  ４１  第３給湯配管、  ４２  流量センサ、  ４３  給湯温度センサ、  ４４  給湯水流センサ、  ５０  浴槽、  ５１  浴槽アダプタ、  ５２  排水栓、  ５３  排水管、  ５４  駆動装置、  ５５  開閉検出装置、  ５６  温度センサ、  ５７  通信線、  ６０  制御装置、  ６０ａ  制御部、  ６０ｂ  記憶部、  ６０ｃ  判定部、  ７０  リモートコントローラ、  ７０ａ  表示部、  ７０ｂ  操作部、  ７１  リモートコントローラ通信線、  ２００  専用ハードウェア、  ２０１  プロセッサ、  ２０２  メモリ
【図１】
2018169065.tif 000003
【図２】
2018169065.tif 000004
【図３】
2018169065.tif 000005
【図４】
2018169065.tif 000006
【図５】
2018169065.tif 000007
【図６】
2018169065.tif 000008
【図７】
2018169065.tif 000009
【図８】
2018169065.tif 000010
【図９】
2018169065.tif 000011